【手続補正書】
【提出日】平成18年4月20日(2006.4.20)
【手続補正１】
【補正対象書類名】明細書
【補正対象項目名】発明の名称
【補正方法】変更
【補正の内容】
【発明の名称】かみそり刃システム
【手続補正２】
【補正対象書類名】明細書
【補正対象項目名】特許請求の範囲
【補正方法】変更
【補正の内容】
【特許請求の範囲】
【請求項１】
長手方向を有したハウジングであって、少なくとも１つのひげ剃り刃がその上に配置されるとともに保護表面が前記少なくとも１つのひげ剃り刃の前方に配置され、前記少なくとも１つのひげ剃り刃が、当該ハウジングの長手方向に延びると共に当該ハウジングの上側表面から上方に延びる切刃をそれぞれ有しているハウジングと；
前記ハウジングの上側表面上の周辺部に配置されて各ひげ剃り刃の両端に接触する一体構造の保持部材と；
前記保持部材上に配置され、前記ハウジング部材の嵌合部分に取り付けられるように構成されて前記ハウジングに対する前記保持部材の上方への動きを制限し、それによって各ひげ剃り刃における前記切刃の上方への動きが前記一体構造の保持部材との接触によって制限されるように構成されたラッチと；
を備えたことを特徴とする安全かみそりシステム。
【請求項２】
前記ハウジングは、実質的にその平面形状が円弧状の端部を有した矩形であることを特徴とする請求項１に記載の安全かみそりシステム。
【請求項３】
前記保持部材は、横断方向に円弧状であることを特徴とする請求項１に記載の安全かみそりシステム。
【請求項４】
前記少なくとも１つのひげ剃り刃は、それぞれ前記保持部材の長手方向に延びる、隙間を開けて配設された複数のひげ剃り刃を有することを特徴とする請求項１に記載の安全かみそりシステム。
【請求項５】
前記複数のひげ剃り刃の各切刃は、同じ方向に向けられていることを特徴とする請求項４に記載の安全かみそりシステム。
【請求項６】
前記複数のひげ剃り刃は、総計で３枚であることを特徴とする請求項４に記載の安全かみそりシステム。
【請求項７】
前記ハウジングは、前記ハウジングの周辺部に配置されて上方に開口する溝を形成する上方に延びるリップを有し、かつ前記保持部材は、前記溝の内側に配置されることを特徴とする請求項１に記載の安全かみそりシステム。
【請求項８】
前記保持部材は、その内側に形成された一対の基準表面を有し、
かつ前記基準表面は、前記複数のひげ剃り刃の各端部と接触する下向きの平らな表面を有することを特徴とする請求項４に記載の安全かみそりシステム。
【請求項９】
前記ハウジング上に配置された保護棒をさらに備え、
前記保護棒は、前記ハウジングの長手方向に延びるとともに前記複数のひげ剃り刃に対して隙間を開けてかつ平行に上方に向かって突出することを特徴とする請求項４に記載の安全かみそりシステム。
【請求項１０】
前記複数のひげ剃り刃は、前記保持部材の方へ弾性的に付勢されることを特徴とする請求項４に記載の安全かみそりシステム。
【請求項１１】
前記保持上の前記ラッチは複数のタブ要素を有し、
かつ前記ハウジングの前記嵌合部分は複数の溝を有し、
前記保持部材を前記ハウジングに対して位置決めしかつ支持するために前記タブが前記溝内に噛み合うことを特徴とする請求項１に記載の安全かみそりシステム。
【請求項１２】
前記嵌合部分は、前記溝内で前記ハウジング上に形成された複数の下方に向いた係合表面を有し、
かつ前記保持部材の前記ラッチは、前記保持部材を前記ハウジングに対して位置決めしかつ支持するための前記係合表面を含む上方を向いた複数の表面を有することを特徴とする請求項７に記載の安全かみそりシステム。
【請求項１３】
前記保持部材は、薄板金属材料から形成されることを特徴とする請求項１に記載の安全かみそりシステム。
【請求項１４】
前記複数のひげ剃り刃はステンレス鋼であり、かつ前記保持はアルミニウムから成ることを特徴とする請求項４に記載の安全かみそりシステム。
【請求項１５】
一対のエラストマ表面をさらに備え、
ひげ剃り動作の間に肌を引っ張るためにその１つの表面が前記刃手段のいずれかの側に配置されることを特徴とする請求項１に記載の安全かみそりシステム。
【請求項１６】
前記エラストマ表面は、その内部に形成された複数のカップ状の開口を有することを特徴とする請求項１５に記載の安全かみそりシステム。
【請求項１７】
前記ハウジングは、当該ハウジングにおける各端部の下側表面に隣接して配置された一対の空洞を形成する壁構造を有するとともに、
前記ハウジングをひげ剃りハンドルに回動可能に接続するための相互接続部材であって、前記ハウジングの長手方向に沿って外側に延びる一対の対向アームをその両側に有した一体構造本体を有する相互接続部材と；
前記ハウジングと接触するために前記相互接続部材の本体の各側部に配置された、一対の第１の軸受面、および一対の反対向きで同軸の第２の軸受面と；
をさらに備え、
各第１の軸受面は各アーム上に配置されるとともに各空洞内に受容され、各第２軸受面は前記第１の軸受面同士の間で前記本体上に配置され；
各第１の軸受面は前記空洞壁構造の一部と接触するように配置され、各第２軸受面は前記ハウジングの下側表面と接触するように配置されていることを特徴とする請求項１に記載の安全かみそりシステム。
【請求項１８】
各第２軸受面は、前記第１軸受面より大きい領域であることを特徴とする請求項１７に記載の安全かみそりシステム。
【請求項１９】
各第１軸受面は、完全に各空洞内にあることを特徴とする請求項１７に記載の安全かみそりシステム。
【請求項２０】
各第２軸受面は、完全に各空洞の外にあることを特徴とする請求項１７に記載の安全かみそりシステム。
【請求項２１】
前記相互接続部材本体は、そのたわみによって前記アームの一方が他方に向かう動きを容易にする、前記アーム間に形成された少なくとも１つの溝を有することを特徴とする請求項１７に記載の安全かみそりシステム。
【請求項２２】
ウェットシェービングひげ剃りハウジング上への組み付けのための一体構造の環状保持クリップであって、
上側および下側表面と、互いに対向する一対の縦方向部分と、それに接続された互いに対向する一対の横方向部分とを有すると共に、それらの間に内周環状縁を有した刃受容ポケットを画成する環状本体と；
前記縦方向部分および横方向部分から垂下するとともに、その側面間にひげ剃りハウジング受容ポケットを画成する環状リムと；
前記縦方向部分の下側表面上に形成されるとともに前記横方向部分に向かって前記縦方向部分に沿って延びる、下方へ向けられた平らな複数の第１基準表面と；
前記刃受容ポケットの内周環状縁に隣接して前記横方向部分の下側表面上に形成されるとともに前記横方向部分と略平行に延びる、下方に向けられた細長く平らな複数の第２基準表面と；
前記下側表面上に形成された複数のラッチ要素であって、少なくとも部分的に上方向に面して位置決め可能であるとともに前記複数の第１基準表面に対して隙間を開けられ、それによってこのラッチ要素と前記下側表面との間に配置された対象物に対する当該環状保持クリップの動きを制限するラッチ要素と；
を備え、
これにより、ひげ剃り刃を収納しているハウジング上に前記環状保持クリップを組み付ける際、複数の前記第２基準表面は、複数の前記第１基準表面によって前記ハウジングに対して定められる空間位置に位置決めされることを特徴とする、請求項９記載の安全かみそりシステムで用いられるのに適した環状保持クリップ。
【請求項２３】
前記保持クリップは、薄板金属材料から形成されることを特徴とする請求項２２に記載の環状の保持クリップ。
【請求項２４】
前記保持クリップは、横断方向に円弧状であることを特徴とする請求項２２に記載の環状の保持クリップ。
【請求項２５】
前記金属材料は、前記上側表面がコーティングされてひげ剃りハウジング内へ組み付けられると肌接触表面を形成するが、
電気的に伝導性であるようにその裏側はコーティングされないことを特徴とする請求項２３に記載の環状の保持クリップ。
【請求項２６】
前記金属材料は、アルミニウムから成ることを特徴とする請求項２３に記載の環状の保持クリップ。
【請求項２７】
前記複数の第１基準表面は総計で少なくとも３つであり、
かつ前記第１の基準表面は縦方向部分の組を分ける中間平面の両側に分配されていることを特徴とする請求項２２に記載の環状の保持クリップ。
【請求項２８】
前記複数の第２基準表面は総計で２つであり、
かつ前記第２基準表面は互いに対向する横方向部分に配置されることを特徴とする請求項２２に記載の環状の保持クリップ。
【請求項２９】
前記第２基準表面は、前記下側表面の隣接する領域に対して凹んでいることを特徴とする請求項２２に記載の環状保持クリップ。
【請求項３０】
前記複数の下方に向けられた第１基準表面は、前記環状リムの最低の隙間上に形成されることを特徴とする請求項２２に記載の環状保持クリップ。
【請求項３１】
前記ラッチ要素は、前記上側表面から内側に間隔を開けて配置された複数のタブを有することを特徴とする請求項２２に記載の環状保持クリップ。
【請求項３２】
前記ラッチ要素は、前記上側表面に対して少なくとも部分的に平行に延びるとともにそこから下方に間隔を開けて配置された複数のぱちんとはまるラッチ要素を有することを特徴とする請求項２２に記載の環状保持クリップ。
【請求項３３】
ひげ剃りハウジングと組み合わされて安全かみそりシステムを形成する環状保持クリップであって、
前記ひげ剃りハウジングは、
前記複数の第１基準表面と接触するように構成され、上方を向いた複数の基準表面と；
前記ハウジングの上側表面から長手方向に延びると共に上方に延びる、前記ハウジングの上に配置された少なくとも１つのひげ剃り刃と；
を有し、
前記保持クリップの複数の第２基準表面は、前記少なくとも１つのひげ剃り刃の各端部と接触することを特徴とする請求項２２に記載の環状保持クリップ。
【請求項３４】
前記少なくとも１つのひげ剃り刃は、前記保持クリップの方へ弾性的に付勢されることを特徴とする請求項３３に記載の安全かみそりシステム。
【請求項３５】
前記少なくとも１つのひげ剃り刃は、それぞれ前記保持クリップの長手方向部分の長手方向に延びるとともに、その両端が前記複数の第２基準表面と接触する、隙間を開けて配設された複数のひげ剃り刃を有することを特徴とする請求項３３に記載の安全かみそりシステム。
【請求項３６】
前記ハウジングは、その上に配置された保護部材をさらに有し、
前記保護部材は、長手方向に延びるとともに前記ハウジングの複数の基準表面に対して間隔を開けてかつ前記少なくとも１つのひげ剃り刃に対して間隔をあけて上方へ突出し、
前記環状保持クリップを前記ハウジングに組み付ける際、前記少なくとも１つのひげ剃り刃における切刃の前記保護部材に対する空間位置は、ひげ剃りの力が負荷されない非ひげ剃り状態において測定したときに、前記保持クリップの第２基準表面によって定められることを特徴とする請求項３３に記載の安全かみそりシステム。
【請求項３７】
前記少なくとも１つのひげ剃り刃は、前記保持部材の方へ弾性的に付勢されることを特徴とする請求項３６に記載の安全かみそりシステム。
【請求項３８】
前記保護部材は、前記複数のハウジング基準表面に対して間隔を開けて固定された保護部分を有することを特徴とする請求項３６に記載の安全かみそりシステム。
【請求項３９】
長手方向を有したハウジングを備え、
前記ハウジングは、その上に配置された少なくとも１つのひげ剃り刃と、前記少なくとも１つのひげ剃り刃の前方に配置された保護表面とを有し、
前記少なくとも１つのひげ剃り刃が、当該ハウジングの長手方向に延びると共に当該ハウジングの上側表面から上方に延びる切刃をそれぞれ有し、
前記ハウジングの平面形状が実質的に矩形であって、前記ハウジングの上側表面が横断方向に円弧状であり、
前記ハウジングの上側表面上の周辺部に、各ひげ剃り刃の両端に接触する一体構造の保持部材が配置され、
前記保持部材上に、前記ハウジング部材の嵌合部分に取り付けられるように構成されて前記ハウジングに対する前記保持部材の上方への動きを制限するラッチが配置され、
前記ハウジングは円弧状の端部を有し、
前記保持部材は、横断方向に円弧状であって、前記ハウジング周辺部の上面、側面および端面上にほぼ重なり、それによって連続した肌接触表面を形成していることを特徴とする安全かみそりシステム。
【請求項４０】
前記少なくとも１つのひげ剃り刃は、それぞれ前記保持部材の長手方向に延びる、隙間を開けて配設された複数のひげ剃り刃を有することを特徴とする請求項３９に記載の安全かみそりシステム。
【請求項４１】
前記複数のひげ剃り刃の各切刃は、同じ方向に向けられていることを特徴とする請求項４０に記載の安全かみそりシステム。
【請求項４２】
前記ハウジング上に配置された保護棒をさらに備え、前記保護棒は、前記ハウジングの長手方向に延びるとともに、前記複数のひげ剃り刃に対して隙間を開けてかつ平行に上方に向かって突出することを特徴とする請求項４０に記載の安全かみそりシステム。
【請求項４３】
前記複数のひげ剃り刃は、前記保持部材の方へ弾性的に付勢されることを特徴とする請求項４０に記載の安全かみそりシステム。
【請求項４４】
前記保持部材は、薄板金属材料から形成されることを特徴とする請求項３９に記載の安全かみそりシステム。
【請求項４５】
一対のエラストマ表面をさらに備え、ひげ剃り動作の間に肌を引っ張るためにその１つが前記刃のいずれかの側に配置されることを特徴とする請求項３９に記載の安全かみそりシステム。